(57)【要約】      （修正有）【課題】興趣性に富んだ使い方が可能な走行玩具の走行路を提供する。【解決手段】走行玩具が走行する、長手方向に傾斜した軌道２と、軌道２の幅方向の両端部にそれぞれ立設され軌道２の長手方向に延在する壁部３と、を備える走行玩具の走行路１であって、壁部３には、軌道２の軌道面２ｂから突出する部分３ａに複数の水平面３０がそれぞれ設けられている。【選択図】図１
2019150216.tif 000002
【特許請求の範囲】
【請求項１】
走行玩具が走行する、長手方向に傾斜した軌道と、
前記軌道の幅方向の両端部にそれぞれ立設され前記軌道の長手方向に延在する壁部と、
を備える走行玩具の走行路であって、
前記壁部には、前記軌道の軌道面から突出する部分に複数の水平面がそれぞれ設けられていることを特徴とする走行玩具の走行路。
【請求項２】
前記壁部の最上部と最下部の途中の位置に、前記複数の水平面のうちの少なくとも１つの前記水平面が設けられていることを特徴とする請求項１に記載の走行玩具の走行路。
【請求項３】
前記複数の水平面は、前記壁部の延在方向に一定の間隔で設けられていることを特徴とする請求項１又は請求項２に記載の走行玩具の走行路。
【請求項４】
前記軌道の幅方向中央に、前記軌道の長手方向に延在するＵ字溝が形成されており、前記Ｕ字溝が、球体状の走行玩具が走行する通路とされていることを特徴とする請求項１から請求項３のいずれか一項に記載の走行玩具の走行路。
【請求項５】
前記軌道の、前記Ｕ字溝と前記壁部との間の前記軌道面が、車両型の走行玩具が走行する道路とされていることを特徴とする請求項４に記載の走行玩具の走行路。
【請求項６】
前記軌道に車止めが設けられていることを特徴とする請求項１から請求項５のいずれか一項に記載の走行玩具の走行路。
【請求項７】
複数の部分走行路が連結されて前記走行路が形成されることを特徴とする請求項１から請求項６のいずれか一項に記載の走行玩具の走行路。
【発明の詳細な説明】
【技術分野】
【０００１】
本発明は走行玩具の走行路に関するものである。
【背景技術】
【０００２】
従来、車両型の走行玩具を走行させたり球体状の走行玩具を転がして走行させたりするための走行路（走行レール）を備える走行玩具が知られている（例えば特許文献１、２等参照）。
また、部分走行路（分割された走行路）を複数連結させて走行路の形状を自在に組み合わせることが可能なタイプの走行路も、従来からよく知られている（例えば特許文献３等参照）。
【先行技術文献】
【特許文献】
【０００３】
【特許文献１】特開２００９−５０４８９号公報
【特許文献２】特開２０１５−２４０６６号公報
【特許文献３】特開昭６３−５９９９１号公報
【発明の概要】
【発明が解決しようとする課題】
【０００４】
ところで、このような走行玩具の走行路において、走行玩具が走行する軌道がその長手方向に傾斜している場合、通常、走行路の軌道の幅方向の両端部にそれぞれ立設され軌道の長手方向に延在する壁部も傾斜させて軌道に平行になるように設けられる。
しかし、このように壁部が傾斜していると、例えば壁部の上に付属部品等を置いて遊ぼうとしても壁部上に付属部品等を置くことができない。そのため、従来の走行玩具の走行路は興趣に欠けるところがあった。
【０００５】
本発明は、かかる問題点に鑑みなされたもので、興趣性に富んだ使い方が可能な走行玩具の走行路を提供することを目的とする。
【課題を解決するための手段】
【０００６】
上記課題を達成するため、第１の手段は、
走行玩具が走行する、長手方向に傾斜した軌道と、
前記軌道の幅方向の両端部にそれぞれ立設され前記軌道の長手方向に延在する壁部と、
を備える走行玩具の走行路であって、
前記壁部には、前記軌道の軌道面から突出する部分に複数の水平面がそれぞれ設けられていることを特徴とする。
【０００７】
第２の手段は、第１の手段において、前記壁部の最上部と最下部の途中の位置に、前記複数の水平面のうちの少なくとも１つの前記水平面が設けられていることを特徴とする。
【０００８】
第３の手段は、第１の手段又は第２の手段において、前記複数の水平面は、前記壁部の延在方向に一定の間隔で設けられていることを特徴とする。
【０００９】
第４の手段は、第１の手段から第３の手段のいずれか一の手段において、前記軌道の幅方向中央に、前記軌道の長手方向に延在するＵ字溝が形成されており、前記Ｕ字溝が、球体状の走行玩具が走行する通路とされていることを特徴とする。
【００１０】
第５の手段は、第４の手段において、前記軌道の、前記Ｕ字溝と前記壁部との間の前記軌道面が、車両型の走行玩具が走行する道路とされていることを特徴とする。
【００１１】
第６の手段は、第１の手段から第５の手段のいずれか一の手段において、前記軌道に車止めが設けられていることを特徴とする。
【００１２】
第７の手段は、第１の手段から第６の手段のいずれか一の手段において、複数の部分走行路が連結されて前記走行路が形成されることを特徴とする。
【発明の効果】
【００１３】
上記手段によれば、走行玩具の走行路の軌道の両端部に立設された壁部の、軌道の軌道面から突出する部分に複数の水平面がそれぞれ設けられているため、水平面に他の遊具を置いたり取り付けたりすることで水平面を使って種々の遊び方をすることが可能となり、興趣性に富んだ走行路の使い方が可能となる。
【図面の簡単な説明】
【００１４】
【図１】（Ａ）本実施形態に係る走行玩具の走行路を斜め上方から見た図であり、（Ｂ）正面図である。
【図２】走行玩具の走行路のＵ字溝上に球体状の走行玩具を置いた状態を表す図である。
【図３】走行玩具の走行路の傾斜面上に車両型の走行玩具を置いた状態を表す図である。
【図４】走行玩具の走行路の壁部の水平面上にドミノ牌を立てた状態を表す図である。
【図５】スイング遊具を表す斜視図である。
【図６】走行玩具の走行路に他の部分走行路を連結して遊ぶ遊び方の一例を表す図である。
【図７】（Ａ）回転板を備える遊具、（Ｂ）スタートゲートを表す斜視図である。
【図８】（Ａ）トンネル用の屋根の構成例を表す斜視図であり、（Ｂ）走行玩具の走行路の壁部上にトンネル用の屋根を載せた状態を表す図である。
【図９】走行玩具の走行路に他の部分走行路を連結して遊ぶ遊び方の他の例を表す図である。
【発明を実施するための形態】
【００１５】
以下、本発明の走行玩具の走行路を図面に示した実施形態に基づいて説明する。
なお、以下では、走行玩具の走行路が、複数の部分走行路が連結されて形成される場合について説明するが、走行路が各部分走行路を連結するものではなく予め一体的に形成されている場合についても同様に説明される。
【００１６】
［全体構成］
図１（Ａ）は、本実施形態に係る走行玩具の走行路を斜め上方から見た図であり、図１（Ｂ）は正面図である。
本実施形態に係る走行玩具の走行路１は、長手方向に傾斜した軌道２と、軌道２の幅方向の両端部にそれぞれ設けられた壁部３とを備えている。
【００１７】
［細部構成］
１．軌道２について
本実施形態では、傾斜面とされた軌道２の幅方向中央に、軌道２の長手方向に延在するＵ字溝２ａが形成されている。そして、図２に示すように、Ｕ字溝２ａ上に球体状の走行玩具１１（以下、単に球１１という。）を置くと、球１１が自重で回転しながらＵ字溝２ａに沿って転がり落ちることができるようになっている。
なお、付勢した球１１がＵ字溝２ａに沿って転がりながら上がっていくようにして遊ぶこともできる。
【００１８】
また、本実施形態では、Ｕ字溝２ａの両側の軌道部分、すなわち軌道２の、Ｕ字溝２ａと壁部３との間の傾斜した軌道面２ｂがそれぞれ、車両型の走行玩具が走行する道路になっている。そして、図３に示すように、Ｕ字溝２ａと壁部３との間の各軌道面２ｂ上に左右のタイヤ１２ａが載るように車両型の走行玩具１２（以下、単に車１２という。）を置くと、車１２が、自重で（あるいはモータの駆動等により）タイヤ１２ａを回転させながら軌道面２ｂに沿って駆け降りるようにして走行することができるようになっている。
【００１９】
２．壁部３について
壁部３は、長手方向に傾斜した軌道２の幅方向の両端部にそれぞれ真上方向に立設されており、軌道２の長手方向に延在している。そして、本実施形態では、壁部３は、軌道面２ｂから突出する部分３ａ（以下、壁部３の上部３ａという。）が全体的に傾斜した軌道２に平行になるように傾斜して設けられている。
そして、壁部３の上部３ａには水平面３０が設けられている。
本実施形態では、水平面３０は、壁部３の上部３ａにそれぞれ複数設けられており、複数の水平面３０は、壁部３の延在方向に一定の間隔で設けられている。
また、本実施形態では、壁部３の最上部と最下部の途中の位置に、複数の水平面３０のうちの少なくとも１つの水平面３０Ａが設けられている。
【００２０】
３．その他の構成について
本実施形態では、軌道２の傾斜した軌道面２ｂの上側の一部が盛り上げられて、車止め４が設けられている。そして、図３に示すように、車止め４に車１２のタイヤ１２ａを係合させることで、軌道２の軌道面２ｂ上で車１２を静止させることができるが、車１２を押せばタイヤ１２ａが車止め４から外れて車１２が軌道面２ｂを駆け降りるようになっている。
【００２１】
なお、例えば、軌道面２ｂに凹部を形成して車止め４を設けたり、車１２のタイヤ１２ａをひっかける構造を壁部３に設けて車止め４としてもよく、車止め４は、上記のように軌道面２ｂの一部を盛り上げて形成する場合に限定されない。
また、走行玩具の走行路１の側面には、走行路１と他の部分走行路１０（例えば後述する図６や図９参照）と連結するための連結用凸部５や連結用凹部（図示省略）が設けられている。
【００２２】
［遊び方及び作用］
続いて、本実施形態に係る走行玩具の走行路１を使用しての遊び方の例や走行玩具の走行路１の作用について説明する。
本実施形態では、走行路１は、上記のように壁部３の上部３ａに水平面３０を有しており、複数の水平面３０が壁部３の延在方向に一定の間隔で設けられている。そのため、例えば図４に示すように、走行玩具の走行路１の壁部３の水平面３０上にドミノ牌１６を立てた状態で置くと、水平面３０が水平であるため、ドミノ牌１６は倒れることなく水平面３０上に起立させることができる。そのため、最上段（あるいは最下段）のドミノ牌１６を押して倒せば、坂道を下るようにして（あるいは坂道を上るようにして）ドミノ倒しを生じさせることができる。
このように、本実施形態に係る走行玩具の走行路１によれば、壁部３の水平面３０上にドミノ牌１６を立てた状態で置くことができるため、ドミノ牌１６を倒して坂道を下ったり上ったりするようにドミノ倒しを生じさせることが可能となる。そのため、本実施形態では、軌道２が傾斜した走行路１をドミノ倒しに使うことが可能となる。
【００２３】
また、例えば、図５に示すようなスイング遊具１７を上記の各遊具と組み合わせて用いることもできる。
スイング遊具１７は、例えば、２本の柱１７ａで支持された梁１７ｂから揺動板１７ｃが垂下されて形成されており、揺動板１７ｃは、梁１７ｂ内に設けられた軸（図示省略）を中心として板面に垂直な方向に揺動できるようになっている。また、揺動板１７ｃの上部には、板面に対して垂直方向に（すなわち水平方向に）突出する突出部１７ｄが設けられている。
なお、突出部１７ｄは、揺動板１７ｃの両面にそれぞれ設けられており、揺動板１７ｃと一体的に形成されている。また、揺動板１７ｃの下端部は、前述した球１１が転がるＵ字溝の断面形状にならって半円状とされている。
【００２４】
そして、図６に示すように、走行玩具の走行路１に、球１１を転がすことができる部分走行路１０を連結し、走行玩具の走行路１に隣接する位置に上記のスイング遊具１７を取り付ける。なお、部分走行路１０には、走行玩具の走行路１のＵ字溝２ａと同様に球１１の通路となるＵ字溝１０ａが設けられている。
そして、スイング遊具１７の近傍に球１１を配置する。また、走行玩具の走行路１の壁部３の各水平面３０上には、それぞれドミノ牌１６を立てておく。
【００２５】
この状態で、走行玩具の走行路１に立てられたドミノ牌１６のうち最も下側のドミノ牌１６（図６では最も右側のドミノ牌１６）を指で押したり遊具を衝突させたりすると、そのドミノ牌１６が倒れて坂道を上るようにドミノ倒しが生じる。
そして、最も上側のドミノ牌１６が倒れると、スイング遊具１７の突出部１７ｄにぶつかり、揺動板１７ｃが図中左側に揺動する。そして、揺動した揺動板１７ｃの下端部分が球１１にぶつかると、球１１がＵ字溝１０ａに沿って図中左側に向かって転がる。そして、図６に示すように、例えば部分走行路１０に球１１が通り抜け可能な孔１０ｂを設けておけば、Ｕ字溝１０ａに沿って転がってきた球１１が孔１０ｂに落下し、孔１０ｂを通り抜けて勢いよく外に飛び出す。
【００２６】
なお、例えば、上記とは逆に、図中左側から球１１をスイング遊具１７の揺動板１７ｃに図中左側から衝突させることで、スイング遊具１７の揺動板１７ｃや突出部１７ｄで最も上側のドミノ牌１６を倒して坂道を下るようにドミノ倒しを生じさせて遊ぶこともできる。
また、図示を省略するが、スイング遊具１７を、最も下側のドミノ牌１６（図６では最も右側のドミノ牌１６）側に配置して遊ぶこともできる。
【００２７】
また、本実施形態では、走行玩具の走行路１の壁部３の水平面３０上に、例えば、Ｕ字溝２ａに沿って転がってきた球１１（図２参照）が当たると回転する回転板１４ａを備える遊具１４（図７（Ａ）参照）を置いたり、車１２（図３参照）用の、シグナルランプ状の模様１５ａが施されたスタートゲート１５（図７（Ｂ）参照）等を置いて遊ぶ際、それらを、倒れることなく安定した状態で水平面３０上に置くことが可能となる。
【００２８】
さらに、例えば図８（Ａ）に示すように、トンネル用の屋根１３の下端部の、走行路１の壁部３の水平面３０に対応する位置に水平面１３ａを下向きに形成しておけば、図８（Ｂ）に示すように、走行路１の壁部３の上部３ａ上にトンネル用の屋根１３を載せた際に、壁部３の水平面３０上に屋根１３の水平面１３ａが載置される状態になる。この場合、屋根１３の水平面１３ａは、走行路１の壁部３の水平面３０から上向きの力しか受けず、水平方向の力を受けない。
このように、本実施形態に係る走行玩具の走行路１によれば、壁部３の上部３ａ上に、トンネル用の屋根１３を、壁部３の水平面３０上に屋根１３の水平面１３ａを置くようにして載せることで、屋根１３が滑り落ちることなく的確にトンネルを作ることができる。
【００２９】
以上のように、本実施形態に係る走行玩具の走行路１では、軌道２の両端部に立設された壁部３の上部３ａに水平面３０がそれぞれ設けられているため、水平面３０に他の付属部品等を置いたり取り付けたりすることで水平面３０を使って種々の遊び方をすることが可能となる。
そのため、興趣性に富んだ走行路１の使い方が可能となる。
【００３０】
なお、スイング遊具１７を用いると、以下のような遊び方もできる。
すなわち、図９に示すように、走行玩具の走行路１に連結した部分走行路１０にスイング遊具１７を取り付ける。また、走行玩具の走行路１の前述した車止め４に車１２のタイヤ１２ａを係合させて軌道２の傾斜した軌道面２ｂ上で車１２を静止させておく。
この状態で、部分走行路１０のＵ字溝１０ａに沿って球１１を転がしてスイング遊具１７の揺動板１７ｃに衝突させると、揺動板１７ｃが図中右側に揺動して揺動板１７ｃの下端部分が車１２の後部にぶつかり、タイヤ１２ａが車止め４から外れて車１２が軌道面２ｂを勢いよく駆け降りる。このようにして遊ぶこともできる。
【００３１】
以上、本発明の実施形態について説明したが、本発明は、かかる実施形態に限定されるものではなく、その要旨を逸脱しない範囲で、種々変形が可能であることは言うまでもない。
【符号の説明】
【００３２】
１  走行玩具の走行路
２  軌道
２ａ  Ｕ字溝
２ｂ  軌道面
３  壁部
３ａ  上部（軌道面から突出する部分）
１０  部分走行路
１１  球（走行玩具、球体状の走行玩具）
１２  車（走行玩具、車両型の走行玩具）
３０  水平面
３０Ａ  途中の位置に設けられた水平面
【図１】
2019150216.tif 000003
【図２】
2019150216.tif 000004
【図３】
2019150216.tif 000005
【図４】
2019150216.tif 000006
【図５】
2019150216.tif 000007
【図６】
2019150216.tif 000008
【図７】
2019150216.tif 000009
【図８】
2019150216.tif 000010
【図９】
2019150216.tif 000011
【手続補正書】
【提出日】平成31年4月19日(2019.4.19)
【手続補正１】
【補正対象書類名】明細書
【補正対象項目名】０００６
【補正方法】変更
【補正の内容】
【０００６】
上記課題を達成するため、第１の手段は、
走行玩具が走行する、長手方向に傾斜した軌道面を有する軌道と、
前記軌道の幅方向の両端部にそれぞれ立設され前記軌道の長手方向に延在する壁部と、を備える走行玩具の走行路であって、
前記壁部には、前記軌道の前記傾斜した軌道面から突出する部分に複数の水平面がそれぞれ設けられていることを特徴とする。
【手続補正２】
【補正対象書類名】特許請求の範囲
【補正対象項目名】全文
【補正方法】変更
【補正の内容】
【特許請求の範囲】
【請求項１】
走行玩具が走行する、長手方向に傾斜した軌道面を有する軌道と、
前記軌道の幅方向の両端部にそれぞれ立設され前記軌道の長手方向に延在する壁部と、を備える走行玩具の走行路であって、
前記壁部には、前記軌道の前記傾斜した軌道面から突出する部分に複数の水平面がそれぞれ設けられていることを特徴とする走行玩具の走行路。
【請求項２】
前記壁部の最上部と最下部の途中の位置に、前記複数の水平面のうちの少なくとも１つの前記水平面が設けられていることを特徴とする請求項１に記載の走行玩具の走行路。
【請求項３】
前記複数の水平面は、前記壁部の延在方向に一定の間隔で設けられていることを特徴とする請求項１又は請求項２に記載の走行玩具の走行路。
【請求項４】
前記軌道の幅方向中央に、前記軌道の長手方向に延在するＵ字溝が形成されており、前記Ｕ字溝が、球体状の走行玩具が走行する通路とされていることを特徴とする請求項１から請求項３のいずれか一項に記載の走行玩具の走行路。
【請求項５】
前記軌道の、前記Ｕ字溝と前記壁部との間の前記軌道面が、車両型の走行玩具が走行する道路とされていることを特徴とする請求項４に記載の走行玩具の走行路。
【請求項６】
前記軌道に車止めが設けられていることを特徴とする請求項１から請求項５のいずれか一項に記載の走行玩具の走行路。
【請求項７】
複数の部分走行路が連結されて前記走行路が形成されることを特徴とする請求項１から請求項６のいずれか一項に記載の走行玩具の走行路。